(57)【要約】  【課題】収容箱に収容されたティッシュペーパーを使用初期にも破れや千切れることなく、スムーズに取り出せるようにする。  【解決手段】上下のティッシュペーパー３，３と折り重ねられた状態で重畳されたティッシュペーパー束３Ａが収容されるとともに、上面に前記ティッシュペーパー３の取出口２が長手方向に沿って設けられた略直方体状のティッシュペーパー収容箱１において、上面の対向する長手側縁４，４部分にそれぞれ縁取り面５，５を設けるようにする。前記縁取り面５は、前記長手側縁４を挟んで上面および側面の各々に、前記長手側縁４をほぼ始点及び終点として形成された略弧状折曲線６ａ、６ｂにより、ティッシュペーパー収容箱１の上面に形成された前記略弧状折曲線６ａから長手側縁４に至る傾斜面５Ａと、前記長手側縁４からティッシュペーパー収容箱１の側面に形成された前記略弧状折曲線６ｂに至る傾斜面５Ｂとにより構成されている。【選択図】図１
2005170480.tif 000002
【特許請求の範囲】
【請求項１】
上下のティッシュペーパーと折り重ねられた状態で重畳されたティッシュペーパー束が収容されるとともに、上面に前記ティッシュペーパーの取出口が長手方向に沿って設けられた略直方体状のティッシュペーパー収容箱において、
上面の対向する長手側縁部分にそれぞれ縁取り面が設けられていることを特徴とするティッシュペーパー収容箱。
【請求項２】
前記縁取り面は、前記長手側縁を挟んで上面および側面の各々に、前記長手側縁をほぼ始点及び終点として略弧状折曲線、略Ｖ字状折曲線又は弧線、直線の組合せからなる折曲線が形成され、ティッシュペーパー収容箱の上面に形成された前記略弧状折曲線、略Ｖ字状折曲線又は弧線、直線の組合せからなる折曲線から長手側縁に至る傾斜面と、前記長手側縁からティッシュペーパー収容箱の側面に形成された前記略弧状折曲線、略Ｖ字状折曲線又は弧線、直線の組合せからなる折曲線に至る傾斜面とにより構成されている請求項１記載のティッシュペーパー収容箱。
【請求項３】
前記縁取り面において、前記収容箱上面の略弧状折曲線、略Ｖ字状折曲線又は弧線、直線の組合せからなる折曲線から収容箱側面までの最大水平距離が５〜４０mmであり、前記収容箱側面の略弧状折曲線、略Ｖ字状折曲線又は弧線、直線の組合せからなる折曲線から収容箱上面までの最大鉛直距離が５〜６０mmである請求項２記載のティッシュペーパー収容箱。
【請求項４】
前記最大鉛直距離／前記最大水平距離が０．５〜１．５である請求項３記載のティッシュペーパー収容箱。
【請求項５】
前記最大鉛直距離と前記最大水平距離とがほぼ同じである請求項３、４いずれかに記載のティッシュペーパー収容箱。
【請求項６】
前記略弧状折曲線、略Ｖ字状折曲線又は弧線、直線の組合せからなる折曲線の形成区間距離は、ティッシュペーパー収容箱の長手側縁寸法に対して５０〜１００％の範囲に形成されている請求項１〜５いずれかに記載のティッシュペーパー収容箱。
【発明の詳細な説明】
【技術分野】
【０００１】
本発明は、収容箱内に収容されたティッシュペーパーを、取出し初期時にも破れや千切れることなく、スムーズに取り出せるとともに、意匠性にも優れたティッシュペーパー収容箱に関する。
【背景技術】
【０００２】
従来、この種のティッシュペーパー収容箱（以下、単に収容箱という。）は、図１０に示される収容箱３０のように、直方体を成し、上面に長手方向に沿って設けられた取出口３１より、内部に重畳状態で収容されたティッシュペーパー束（図１０では図示せず）からティッシュペーパー３２を一枚ずつ取り出せるようになっているものである。
【０００３】
図１０からも明らかなように、従来のティッシュペーパー収容箱の場合は、意匠的に何ら工夫されることがなく、正直方体形状でしかなかった。
【０００４】
そのため、下記特許文献１では、従来のティッシュペーパー収容箱は、使用者に硬い印象を与え、また持ち運びの際に、掌にフィットせず指のみで面や辺を持つこととなるため強い違和感が生じていたなどの問題点に鑑み、図１１に示されるように、上面の対向する短手側縁それぞれに縁取り面４１，４１を設けた収容箱４０が開示されている。
【特許文献１】実用新案登録第３０００７８８号公報
【発明の開示】
【発明が解決しようとする課題】
【０００５】
ところで、図１２に示されるように、収容箱３０に収容されるティッシュペーパー束３２Ａは、収容箱３０内に隙間があると運搬中に拠れてしまうため、前記ティッシュペーパー束３２Ａをある程度圧縮した状態で収容箱内に挿入しているため、前記ティッシュペーパー束３２Ａの上面は、収容箱の上面に完全に密着した状態となっている。
【０００６】
このため、使用初期に最初〜複数枚のティッシュペーパー３２を取出口３１から取り出す際に、前記ティッシュペーパー３２と収容箱３０の上面との摩擦が大き過ぎて、ティッシュペーパー３２が破れたり千切れたりすることがあった。
【０００７】
そこで本発明の主たる課題は、収容箱に収容されたティッシュペーパーを使用初期にも破れや千切れることなく、スムーズに取り出せるようにすることにある。また、同時に持ち運びの際の違和感を無くし、意匠性にも優れたティッシュペーパー収容箱を提供することにある。
【課題を解決するための手段】
【０００８】
前記課題を解決するために請求項１に係る本発明として、上下のティッシュペーパーと折り重ねられた状態で重畳されたティッシュペーパー束が収容されるとともに、上面に前記ティッシュペーパーの取出口が長手方向に沿って設けられた略直方体状のティッシュペーパー収容箱において、
上面の対向する長手側縁部分にそれぞれ縁取り面が設けられていることを特徴とするティッシュペーパー収容箱が提供される。
【０００９】
請求項２に係る本発明として、前記縁取り面は、前記長手側縁を挟んで上面および側面の各々に、前記長手側縁をほぼ始点及び終点として略弧状折曲線、略Ｖ字状折曲線又は弧線、直線の組合せからなる折曲線が形成され、ティッシュペーパー収容箱の上面に形成された前記略弧状折曲線、略Ｖ字状折曲線又は弧線、直線の組合せからなる折曲線から長手側縁に至る傾斜面と、前記長手側縁からティッシュペーパー収容箱の側面に形成された前記略弧状折曲線、略Ｖ字状折曲線又は弧線、直線の組合せからなる折曲線に至る傾斜面とにより構成されている請求項１記載のティッシュペーパー収容箱が提供される。
【００１０】
請求項３に係る本発明として、前記縁取り面において、前記収容箱上面の略弧状折曲線、略Ｖ字状折曲線又は弧線、直線の組合せからなる折曲線から収容箱側面までの最大水平距離が５〜４０mmであり、前記収容箱側面の略弧状折曲線、略Ｖ字状折曲線又は弧線、直線の組合せからなる折曲線から収容箱上面までの最大鉛直距離が５〜６０mmである請求項２記載のティッシュペーパー収容箱が提供される。
【００１１】
請求項４に係る本発明として、前記最大鉛直距離／前記最大水平距離が０．５〜１．５である請求項３記載のティッシュペーパー収容箱が提供される。
【００１２】
請求項５に係る本発明として、前記最大鉛直距離と前記最大水平距離とがほぼ同じである請求項３、４いずれかに記載のティッシュペーパー収容箱が提供される。
【００１３】
請求項６に係る本発明として、前記略弧状折曲線、略Ｖ字状折曲線又は弧線、直線の組合せからなる折曲線の形成区間距離は、ティッシュペーパー収容箱の長手側縁寸法に対して５０〜１００％の範囲に形成されている請求項１〜５いずれかに記載のティッシュペーパー収容箱が提供される。
【発明の効果】
【００１４】
上記請求項１記載の本発明においては、ティッシュペーパー収容箱の、上面の対向する長手側縁部分にそれぞれ縁取り面を設けるようにした。従って、収容されたティッシュペーパー束は、ティッシュペーパー束上面の長手側縁部分が、前記収容箱上面の長手側縁部分に形成された縁取り面に接触した状態で収容されることになり、ティッシュペーパー束の上面と収容箱上面との間には隙間が生じた状態か、接触面圧がかなり低減された状態となっている。その結果、使用初期にティッシュペーパーを取り出した際（１枚目〜複数枚目）、このティッシュペーパーに生じる引張抵抗を大幅に低減できるようになり、破れたり千切れたりすることなく、スムーズにティッシュペーパーを取り出せるようになる。
【００１５】
また、持ち運びの際にも両縁取り面を持つことで掌の両側においてフィットしやすくなり違和感が無くなるとともに、収容箱の上面に縁取り面が形成されることにより意匠性が大きく向上するようになる。
【００１６】
なお、上記特許文献１記載の収容箱４０は、本発明と同様に収容箱の上面に縁取り面を形成するものであるけれども、上面の対向する短手側縁部分にそれぞれ縁取り面４１，４１を形成するものであるため、ティッシュ取出し時の摩擦低減には寄与することがなく、本願発明の目的とする、使用初期に破れや千切れることなく、ティッシュペーパーをスムーズに取り出せるという効果を奏することはできないものである。
【００１７】
上記請求項２記載の本発明においては、前記縁取り面は、前記長手側縁を挟んで上面および側面の各々に、前記長手側縁をほぼ始点及び終点として形成された略弧状折曲線、略Ｖ字状折曲線又は弧線、直線の組合せからなる折曲線により構成するものである。ティッシュペーパーの取出し時には、ほぼ中央を摘んで引っ張り上げることが多く、前記中央部分で傾斜面が大きく構成された前記折曲線形状であれば、ティッシュペーパーに大きな応力が発生する部分で摩擦力を最も低減できるようになる。ここで、前記折曲線の始点及び終点は長手側縁に一致させる場合の他、前記長手側縁から若干離間した位置を始点及び終点とする場合をも含むものである。この場合の離間距離は１０mm以内、好ましくは５mm以内とするのが望ましい。
【００１８】
上記請求項３〜６記載の本発明においては、前記縁取り面の形状を特定する各諸元を規定するものであり、このような数値範囲とすることにより、本発明の所期の目的が効果的に達せられるようになる。
【発明を実施するための最良の形態】
【００１９】
以下、本発明の実施の形態について図面を参照しながら詳述する。
図１は本発明に係るティッシュペーパー収容箱１の斜視図、図２は前記ティッシュペーパー収容箱１の縦断面図、図３は図２のIII部分拡大図である。
【００２０】
前記ティッシュペーパー収容箱１（以下、単に収容箱という。）は、図１および図２に示されるように、２枚一組のティッシュペーパー３が、上下に折り重ねられた状態で重畳され、このティッシュペーパー束３Ａが内部に収容されているとともに、上面の略中心領域に長手方向に沿って前記ティッシュペーパー３の取出口２が設けられており、この取出口２より前記ティッシュペーパー３を１枚ずつ取り出せるようになっている直方体状に組み立てられた箱である。なお、前記取出口２には、取出口２の中央部に切り込み線が形成されたフィルム２ａが張設されている。
【００２１】
前記収容箱１は、上面の対向する長手側縁４，４部分に、それぞれ縁取り面５，５が設けられている。この縁取り面５は、図１に示されるように、前記長手側縁４を挟んで上面および側面の各々に、前記長手側縁４をほぼ始点及び終点として形成された略弧状折曲線６ａ、６ｂにより、収容箱１の上面に形成された前記略弧状折曲線６ａから長手側縁４に至る傾斜面５Ａと、前記長手側縁４から収容箱１の側面に形成された前記略弧状折曲線６ｂに至る傾斜面５Ｂとにより構成されているものである。この場合、図３に示されるように、前記長手側縁４の位置Ｐｃは、収容箱１上面の略弧状折曲線６ａが長手側縁４から最も離れる位置Ｐ１と、収容箱１側面の略弧状折曲線６ｂが長手側縁４から最も離れる位置Ｐ２とを結んだ仮想線Ｌより外側に位置するようにするのが望ましい。前記長手側縁４の位置Ｐｃを前記仮想線Ｌより上方位置とすることで、後述のように、ティッシュペーパー３を円滑に取り出しできるようになる。なお、前記略弧状折曲線６ａ、６ｂの始点及び終点は前記長手側縁４に一致させたが、図９に示されるように、前記略弧状折曲線６ａ、６ｂの始点及び終点は長手側縁４から若干離間していてもよい。この場合の離間距離ｈは１０mm以内とし、かつ前記略弧状折曲線６ａ、６ｂの始点及び終点を更に延長させた仮想線が前記長手側縁４と交差する関係にあることが望ましい。このように、前記略弧状折曲線６ａ、６ｂの始点及び終点を前記長手側縁４から若干離した場合の方が、綺麗に折れ曲がるようになると共に、裂け難くなり、かつ見た目も良好となるためむしろ望ましい。
【００２２】
収容箱１上面の長手側縁４部分にそれぞれ前記縁取り面５，５が形成された収容箱１にティッシュペーパー束３Ａをある程度圧縮して入れた状態では、図３に示されるように、ティッシュペーパー束３Ａ上面の長手側縁部分が、前記収容箱１上面の長手側縁４部分に形成された前記縁取り面５に接触した状態で収容されることになり、ティッシュペーパー束３Ａの上面と収容箱１上面との間には隙間が生じた状態か、接触面圧がかなり低減された状態となっている。従って、ティッシュペーパー３の取出し初期に、前記収容箱１内より取り出されるティッシュペーパー３が前記縁取り面５部分では強く接触するけれども、前記収容箱１の上面には接触しないかほとんど摩擦が生じていないため、前記ティッシュペーパー３に生じる引張抵抗を大幅に削減することができ、破れや千切れ等を起こさずにスムーズに取り出すことができる。
【００２３】
前記縁取り面５についてさらに詳述すると、図３に示されるように、前記縁取り面５は、収容箱１上面の略弧状折曲線６ａが長手側縁４から最も離れる位置Ｐ１と、収容箱１側面の略弧状折曲線６ｂが長手側縁４から最も離れる位置Ｐ２との水平距離Ａ、鉛直距離Ｂ、すなわち前記収容箱１上面の略弧状折曲線６ａから収容箱側面までの最大水平距離Ａは５〜４０mm、好ましくは１０〜２０mmであり、前記収容箱１側面の略弧状折曲線６ｂから収容箱上面までの最大鉛直距離Ｂは５〜６０mm、好ましくは１０〜３０mmであることが望ましい。
【００２４】
前記最大水平距離Ａ、最大鉛直距離Ｂが５mm未満であると、縁取り面５が小さくなりすぎ、ティッシュペーパー束３Ａが収容箱１の上面に密着してしまうことになり、縁取り面５を設けた意味が無くなる。一方、最大水平距離Ａが４０mmを超えると、取出口２を小さくせざるを得なくなる等の弊害が出る。また、前記最大鉛直距離Ｂが６０mmを超えると、収容箱１に収容するティッシュペーパー３の枚数を少なくせざるを得ないなどの問題が生じる。
【００２５】
前記最大水平距離Ａと最大鉛直距離Ｂとの関係は、最大鉛直距離Ｂ／最大水平距離Ａが０．５〜１．５、好ましくは１．０〜１．２５であることが望ましい。これらの中で最も望ましいのは、前記最大鉛直距離Ｂと前記最大水平距離Ａとがほぼ等しい場合である。
【００２６】
前記最大鉛直距離Ｂ／前記最大水平距離Ａが０．５未満であると、ティッシュペーパー束上面の長手側縁部分と、前記収容箱上面の長手側縁部分に形成された縁取り面との接触部分から収容箱上面までの隙間が小さくティッシュ取出し時の摩擦を効果的に低減できない。また、前記最大鉛直距離Ｂ／前記最大水平距離Ａが１．５を超えると、ティッシュペーパー束上面の長手側縁部分がヨレた場合、該長手側縁部分が前記縁取り面５を乗り越えて収容箱１の上面に当接することがあるため望ましくない。
【００２７】
ところで、本発明は、従来一般のティッシュペーパー収容箱に対して適用し得るが、概ね短手側縁寸法Ｗが１００〜１３０mm、長手側縁寸法Ｌが１８０〜２７０mm、かつ高さ寸法Ｈが５０〜１５０mmの範囲のものが好適とされる。
【００２８】
他方、前記ティッシュペーパー３の重畳構造としては、一般的な重畳構造である２つ折りの他、３つ折り（Ｚ折り又は変形Ｚ折り）などがある。前記２つ折り重畳構造は、図４に示されるように、各ティッシュペーパー３が略中央線を折り目として約半分に折り畳まれ、ティッシュペーパー３を１枚ずつ交互に対向させ、上側に重ね合わされるティッシュペーパーの下側部分３ａと下側に重ね合わされるティッシュペーパーの上側部分３ｂとを順次重ね合わせて成る重畳構造である。前記３つ折りは、主にウエットティッシュなどに採用されている重畳構造で、例えば図５に示されるように、各ティッシュペーパー３がほぼ中央部を折り目として折り畳まれるとともに、これら両折り畳み片の一方側片において、そのほぼ中央部を折り目としてさらに先端側が反対側に折り返されることにより断面不等辺Ｚ状に折り畳まれ、前記不等辺Ｚ形状を構成する各面のうち、辺長の最も長い部分を３ｂ、この上部分に隣接する中間を中部分３ｃ、残りを下部分３ｄとして、下側に重ね合わされるティッシュペーパー３の前記上部分３ｂのほぼ先端側半分が、上側に重ね合わせられるティッシュペーパー３の前記上部分３ｂと中部分３ｃとによって挟まれながら、順次ティッシュペーパー３が積み重ねられている重畳構造や、図６に示されるように、中央線を折り目として約半分に折り畳まれた第１ティッシュペーパー３と、外側部分がそれぞれ反対面側に折り返され断面Ｚ状とされる第２ティッシュペーパー３’とが積層方向に交互に配列されるとともに、前記第１ティッシュペーパー３の上側部分３ｂのほぼ先端側半分が前記ティッシュペーパー３’の断面Ｚ形状を構成する下側の折返し部分３ｇと中間部分３ｆとの間に挟まれ、かつ前記第１ティッシュペーパー３の下側部分３ａのほぼ先端側半分が前記第２ティッシュペーパー３’の断面Ｚ形状を構成する上側折返し部分３ｅと中間部分３ｆとに挟まれながら順次積み重ねられている重畳構造などを挙げることができる。
【００２９】
〔他の形態例〕
(1)上記形態例では、収容箱１上面の長手側縁４のほぼ全長に亘って縁取り面５を設けたが、図７に示されるように、前記長手側縁４の両端部領域はそのままとし、中央領域のみに縁取り面５を形成することとしてもよい。この場合、前記略弧状折曲線６ａの形成区間距離Ｓは、ティッシュペーパー収容箱１の長手側縁寸法Ｌに対して５０〜１００％の範囲に形成されていることが望ましい。前記形成区間距離Ｓが長手側縁寸法Ｌの５０％未満であると、縁取り面５による摩擦低減効果が望めず、ティッシュペーパー３の取出し初期時に破れや千切れ等を起こす場合がある。
(2)上記形態例では、縁取り面５を略弧状折曲線６ａ、６ｂにより構成したが、図８に示されるように、上面側の長手側縁４を挟んで上面および側面の各々に形成した略Ｖ字状折曲線７ａ、７ｂにより前記縁取り面５を構成することとしてもよい。さらには、前記長手側縁４から上面中心側、側面中心側に膨出する線形状であれば、弧線、直線の組合せからなる折曲線であってもよい。
(3)上記形態例では、収容箱１上面の長手側縁４を有する縁取り面５としたが、前記長手側縁４が省略された縁取り面５とすることもできる。
【図面の簡単な説明】
【００３０】
【図１】ティッシュペーパー収容箱１の斜視図である。
【図２】ティッシュペーパー収容箱１の縦断面図である。
【図３】図２のIII部分拡大図である。
【図４】ティッシュペーパー３の重畳構造（２つ折り）を示す断面図である。
【図５】ティッシュペーパー３の重畳構造（３つ折り）を示す断面図である。
【図６】ティッシュペーパー３の重畳構造（変形３つ折り）を示す断面図である。
【図７】他の形態例に係るティッシュペーパー収容箱１を示す斜視図である。
【図８】他の形態例に係るティッシュペーパー収容箱１を示す斜視図である。
【図９】折曲線の他の形成例を示す収容箱１の側面図である。
【図１０】従来のティッシュペーパー収容箱３０を示す斜視図である。
【図１１】従来のティッシュペーパー収容箱４０を示す斜視図である。
【図１２】従来のティッシュペーパー収容箱３０を示す縦断面図である。
【符号の説明】
【００３１】
１…ティッシュペーパー収容箱、２…取出口、３…ティッシュペーパー、３Ａ…ティッシュペーパー束、５…縁取り面、５Ａ・５Ｂ…傾斜面、６ａ・６ｂ…略弧状折曲線、７ａ・７ｂ…略Ｖ字状折曲線
【図１】
2005170480.tif 000003
【図２】
2005170480.tif 000004
【図３】
2005170480.tif 000005
【図４】
2005170480.tif 000006
【図５】
2005170480.tif 000007
【図６】
2005170480.tif 000008
【図７】
2005170480.tif 000009
【図８】
2005170480.tif 000010
【図９】
2005170480.tif 000011
【図１０】
2005170480.tif 000012
【図１１】
2005170480.tif 000013
【図１２】
2005170480.tif 000014